(57)【要約】【課題】診断目的、プローブの種類に応じて参照画像の初期表示の断面の向きを設定する超音波診断装置を提供する。【解決手段】超音波画像生成部と、超音波プローブに取り付けた位置センサを含み、超音波プローブの３次元空間上の位置情報を取得する位置情報取得部と、超音波画像に対応する参照画像を得るため３次元画像データを取得する画像取得部と、診断目的及び使用する超音波プローブの種類に応じて参照画像の断面方向を設定し、設定した断面方向データを記憶部に記憶する断面方向設定部と、位置情報をもとに超音波画像と３次元画像データの位置合わせを行い、３次元画像データから超音波プローブの走査位置に対応し、かつ断面の向きが断面方向データに基づいて自動調整された２次元の参照画像を生成する参照画像処理部、を備える。【選択図】図４
2014239731.tif 000002
【特許請求の範囲】
【請求項１】
被検体の診断対象部位を走査する超音波プローブを含み、超音波画像を生成する超音波画像生成部と、
前記超音波プローブに取り付けた位置センサを含み、前記超音波プローブの３次元空間上の位置情報を取得する位置情報取得部と、
前記超音波画像に対応する参照画像を得るため３次元画像データを取得する画像取得部と、
前記被検体の診断目的及び使用する超音波プローブの種類に応じて前記参照画像の断面方向を設定し、前記設定した断面方向データを記憶部に記憶する断面方向設定部と、
前記位置情報をもとに前記超音波画像と前記３次元画像データの位置合わせを行い、前記３次元画像データから前記超音波プローブの走査位置に対応し、かつ断面の向きが前記断面方向データに基づいて自動調整された２次元の参照画像を生成する参照画像処理部と、
前記調整された参照画像と前記超音波画像生成部からの超音波画像を表示する表示部と、
を具備する超音波診断装置。
【請求項２】
前記断面方向設定部は、前記断面方向として、少なくともアキシャル、サジタル、コロナルのいずれかを設定するする請求項１記載の超音波診断装置。
【請求項３】
前記断面方向設定部は、さらに前記被検体の診断部位と使用する超音波プローブの種類に応じて前記２次元の参照画像の回転角度を設定し、
前記参照画像処理部は、前記設定した回転角度に基づいて前記２次元の参照画像の回転角度を調整する請求項１記載の超音波診断装置。
【請求項４】
前記断面方向設定部は、前記参照画像の断面の向きが操作者により変更されたとき、前記記憶部に記憶した前記断面方向データを更新する請求項１記載の超音波診断装置。
【請求項５】
前記画像取得部は、超音波画像診断装置以外の医用画像診断装置によって撮影した３次元画像データを取得する請求項１記載の超音波診断装置。
【発明の詳細な説明】
【技術分野】
【０００１】
本発明の実施形態は、超音波診断装置に係り、超音波画像とともに医用画像診断装置によって取得した画像を参照画像として表示する超音波画像診断装置に関する。
【背景技術】
【０００２】
従来、医用装置として超音波診断装置が使用されている。また超音波診断装置は、Ｘ線ＣＴ装置（Ｘ線コンピュータトモグラフィ装置）、ＭＲＩ装置（磁気共鳴イメージング装置）等の様々なモダリティに病院内のネットワークを介して接続可能であり、超音波画像と他の医用画像診断装置で取得した画像を利用して疾患の診断及び治療を支援するようにしている。
【０００３】
例えば、超音波プローブによって走査される断面と、病巣が検出されたＣＴ画像又はＭＲＩ画像とを、磁気式の位置センサを用いて位置合わせし、超音波画像(エコー画像)と同じ断面のＣＴ画像又はＭＲＩ画像を参照画像として表示し、病巣の位置に超音波プローブをナビゲートする超音波診断装置が知られている。
【０００４】
このように超音波画像（エコー画像）と参照画像を位置合わせして結合して表示する機能は、Fusion機能と呼ばれ、初期癌の診療等に欠かせない機能となっている。尚、磁気式の位置センサは、例えばトランスミッタが形成する磁場内に設けられ、超音波プローブに取り付けられている。
【０００５】
ところで、従来では、エコー画像と参照画像を位置合わせする際に、参照画像としてアキシャル（Axial）、サジタル（Sagittal）、コロナル（Coronal）といった基準断面方向の画像を表示し、それに超音波画像を合わせるという手順を採ってきた。しかしながら、診断箇所によって参照画像の最適な断面が異なるため、参照画像の調整に手間がかかるという不便さがあった。また、プローブの種類によっても参照画像の最適な断面が異なることがあるため、参照画像の調整に手間を要していた。
【先行技術文献】
【特許文献】
【０００６】
【特許文献１】特開平１０−１５１１３１号公報
【発明の概要】
【発明が解決しようとする課題】
【０００７】
発明が解決しようとする課題は、診断目的、プローブの種類に応じて参照画像の初期表示の断面の向きを設定する超音波診断装置を提供することにある。
【課題を解決するための手段】
【０００８】
実施形態に係る超音波診断装置は、被検体の診断対象部位を走査する超音波プローブを含み、超音波画像を生成する超音波画像生成部と、前記超音波プローブに取り付けた位置センサを含み、前記超音波プローブの３次元空間上の位置情報を取得する位置情報取得部と、前記超音波画像に対応する参照画像を得るため３次元画像データを取得する画像取得部と、前記被検体の診断目的及び使用する超音波プローブの種類に応じて前記参照画像の断面方向を設定し、前記設定した断面方向データを記憶部に記憶する断面方向設定部と、前記位置情報をもとに前記超音波画像と前記３次元画像データの位置合わせを行い、前記３次元画像データから前記超音波プローブの走査位置に対応し、かつ断面の向きが前記断面方向データに基づいて自動調整された２次元の参照画像を生成する参照画像処理部と、前記調整された参照画像と前記超音波画像生成部からの超音波画像を表示する表示部と、備える。
【図面の簡単な説明】
【０００９】
【図１】実施形態に係る超音波診断装置の概略的な構成を示すブロック図。
【図２】実施形態における位置情報取得部の位置センサの配置を示す説明図。
【図３】実施形態における参照画像と超音波画像の表示例を示す説明図。
【図４】実施形態におけるＣＰＵとその周辺部の構成を示すブロック図。
【図５】実施形態における断面の方向を概略的に示す説明図。
【図６】実施形態における前立腺の診断時の様子を示す説明図。
【図７】参照画像の一般的な回転処理を示す説明図。
【図８】実施形態における参照画像の回転処理を示す説明図。
【図９】実施形態におけるプローブによる腹部と心臓の走査例を示す説明図。
【図１０】実施形態における心尖部四腔断面を概略的に示す説明図。
【図１１】実施形態におけるＣＰＵの動作を説明するフローチャート。
【発明を実施するための形態】
【００１０】
以下、発明を実施するための形態について、図面を参照して説明する。尚、各図において同一箇所については同一の符号を付す。
【００１１】
（第１の実施形態）
図１は、一実施形態に係る超音波診断装置１０の概略的な構成を示すブロック図である。図１において、超音波診断装置の本体１００は、被検体（図示せず）に対して超音波の送受波を行なう超音波プローブ１１と、超音波プローブ１１を駆動して被検体に対して超音波走査を行う送受信部１２と、送受信部２によって得られた受信信号を処理してＢモード画像データ、ドプラ画像データ等の画像データを生成するデータ処理部１３を備えている。
【００１２】
また、本体１００には、データ処理部１３から出力された画像データを基に２次元画像データの生成等を行う画像生成部１４と、画像生成部１４で生成した画像データを収集して記憶する画像データベース１５を設けている。さらに本体１００には、装置全体を制御する中央処理装置（ＣＰＵ）１６と、記憶部１７と、本体１００をネットワーク２２に接続するためのインターフェース部１８を備えている。インターフェース１８部には、各種のコマンド信号等を入力する操作部１９と、位置情報取得部２０が接続されている。また本体１００には、画像生成部１４で生成された画像等を表示するモニタ（表示部）２１が接続されている。尚、ＣＰＵ１６と各回路部との間は、バスライン１０１を介して接続されている。
【００１３】
またインターフェース１８は、ネットワーク２２に接続可能であって、超音波診断装置１０で取得した画像データを、ネットワーク２２を介して外部の医用サーバ２３に保存することもできる。またネットワーク２２には、ＭＲＩ装置、Ｘ線ＣＴ装置、核医学診断装置等の医用画像診断装置２４が接続されており、これら医用画像診断装置２４で取得した医用画像データを医用サーバ２３に保存することができる。
【００１４】
超音波プローブ１１は、その先端面を被検体の体表面に接触させて超音波の送受波を行なうものであり、例えば一次元に配列された複数個の圧電振動子を有している。圧電振動子は電気音響変換素子であり、送波時には超音波駆動信号を送信超音波に変換し、また受波時には被検体からの受信超音波を超音波受信信号に変換する。例えば、超音波プローブ１１は、セクター型、リニア型又はコンベックス型等の超音波プローブである。以下の説明では、超音波プローブ１１を単にプローブと呼ぶ場合もある。
【００１５】
送受信部１２は、超音波駆動信号を生成する送信部１２１と、超音波プローブ１から得られる超音波受信信号を処理する受信部１２２とを備えている。送信部１２１は、超音波駆動信号を生成してプローブ１１に出力し、受信部１２２は、圧電振動子からの超音波受信信号（エコー信号）をデータ処理部１３に出力する。
【００１６】
データ処理部１３は、送受信部１２から出力された信号から、Ｂモード画像データを生成するＢモード処理部１３１と、ドプラ画像データを生成するドプラ処理部１３２等を備えている。Ｂモード処理部１３１は、送受信部１２からの信号に対して包絡線検波を行ったのち対数変換し、対数変換した信号をデジタル信号に変換してＢモード画像データを生成し、画像生成部１４に出力する。
【００１７】
ドプラ処理部１３２は、送受信部１２からの信号に対してドプラ偏移周波数を検出しデジタル信号に変換した後、ドプラ効果による血流や組織を抽出し、ドプラデータを生成して画像生成部１４に出力する。
【００１８】
画像生成部１４は、データ処理部１３から出力されたＢモード画像データ、ドプラ画像データ等を用いて超音波画像を生成する。また画像生成部１４は、ＤＳＣ（Digital Scan Converter）を含み、生成した画像データの走査変換を行い、モニタ２１に表示可能な超音波画像（Ｂモード画像やドプラ画像）を生成する。したがって、超音波プローブ１１、送受信部１２、データ処理部１３及び画像生成部１４は、超音波画像を生成する超音波画像生成部を構成する。
【００１９】
画像データベース１５は、画像生成部１４によって生成された画像データを記憶する。また、画像データベース１５は、インターフェース部１８を介して他の医用画像診断装置２４（ＭＲＩ装置やＸ線ＣＴ装置等）で撮影した３次元画像データ、例えば、ＭＰＲ（Multi Planer Reconstruction）画像等のデータを取得し記憶する。取得した３次元画像データは、超音波画像に対応する参照画像（後述）を得るのに利用可能である。したがって、画像データベース１５とインターフェース部１８は、３次元画像データを取得する画像取得部を構成する。
【００２０】
ＣＰＵ１６は、超音波診断装置１０の全体を制御して各種の処理を実行する。例えば、操作部１９から入力された各種設定要求や、記憶部１７から読込んだ各種制御プログラム及び各種設定情報に基づき、送受信部１２、データ処理部１３及び画像生成部１４を制御する。また画像データベース１５に記憶した超音波画像等をモニタ２１に表示するように制御する。
【００２１】
記憶部１７は、超音波送受信、画像処理及び表示処理を行なうための制御プログラムや、診断情報（例えば、被検体ＩＤ、医師の所見等）や、診断プロトコル等の各種データを記憶する。さらに記憶部１７は、必要に応じて画像データベース１５が記憶する画像の保管等にも使用される。また記憶部１７は、ＣＰＵ１６による処理に用いられる各種情報を記憶する。
【００２２】
インターフェース部１８は、操作部１９、位置情報取得部２０及びネットワーク２２と、本体１００との間での各種情報のやり取りを制御するインターフェースである。操作部１９は、各種スイッチ、キーボード、トラックボール、マウス、タッチコマンドスクリーン等の入力デバイスを備え、操作者からの各種設定要求を受け付け、本体１００に対して各種設定要求を転送する。例えば、操作部１９は、超音波画像とＸ線ＣＴ画像等との位置合わせに係る各種操作を受付ける。
【００２３】
モニタ２１は、超音波診断装置１０のオペレータが操作部１９を操作して各種設定要求を入力するためのＧＵＩ（Graphical User Interface）を表示したり、本体１００において生成された超音波画像と、Ｘ線ＣＴ画像等を並列表示する。
【００２４】
また、ＣＰＵ１６は、例えば、ＤＩＣＯＭ（Digital Imaging and  Communications in Medicine）規格に則って、他の医用画像診断装置２４（例えば、Ｘ線ＣＴ装置、ＭＲＩ装置等）の３次元画像データを、ネットワーク２２を介して送受信する。尚、Ｘ線ＣＴ装置、ＭＲＩ装置等の３次元画像データを、ＣＤ、ＤＶＤ、ＵＳＢなどの記憶媒体に記憶し、記憶媒体に記憶したデータを超音波診断装置１０に取り込むようにすることもできる。
【００２５】
位置情報取得部２０は、例えば、超音波プローブ１１がどこに位置するかを示す位置情報を取得する。位置情報取得装置２０としては、例えば、磁気センサや、赤外線センサ、光学センサ、カメラ等が使用される。以下の説明では、磁気センサを用いる例を述べる。
【００２６】
次に位置情報取得部２０について説明する。本実施形態では、超音波プローブ１１によって被検体を走査する際に、病巣が検出されたＣＴ画像又はＭＲＩ画像を参照画像として表示し、走査する断面と参照画像の位置が同じになるように位置合わせするため、位置情報取得部２０を設けている。
【００２７】
図２は、位置情報取得部２０における位置センサの配置を概略的に示す説明図である。即ち、図２の位置センサシステムは、トランスミッタ３１（送信器）と位置センサ（受信器）３２を含む。トランスミッタ３１は、例えば磁気送信機であり、寝台３４の近くの固定位置にあるポール３３等に取り付けられ、基準信号を送信するもので、自装置を中心として外側に向かって磁場を形成する。尚、トランスミッタ３１は、超音波診断装置本体に取り付けたアームの先端に取り付けたり、可動式のポールスタンドのアームの先端に取り付けるようにしても良い。
【００２８】
トランスミッタ３１によって形成される３次元の磁場には、トランスミッタ３１から送信される磁気を受信可能な領域内に、例えば磁気センサでなる位置センサ３２を取り付けている。以下の説明では、位置センサ３２を単にセンサ３２と呼ぶこともある。
【００２９】
センサ３２は、超音波プローブ１１に取り付けられ、トランスミッタ３１からの基準信号を受信することにより、３次元空間上の位置情報を取得し、超音波ブローブ１１の位置と姿勢（傾き）を検出する。センサ３２の位置情報は、インターフェース部１８を介してＣＰＵ１６に供給される。
【００３０】
ＣＰＵ１６は、超音波プローブ１１によって被検体を走査する際に、医用画像診断装置２４によって生成された３次元画像データのうち任意の断面と、超音波プローブ１１によって走査される断面との位置合わせを行い、３次元画像データと３次元空間とを関連付ける。
【００３１】
例えば、ＣＰＵ１６は、プローブ１１に位置センサ３２を取り付けることにより、センサ３２の検出結果をもとに、現在表示している超音波画像（２次元画像）が被検体Ｐのどの位置と角度で取得したものかを計算する。このとき、トランスミッタ３１は、位置・角度情報の基準（座標系の原点）となる。またＣＴ画像やＭＲＩ画像のボリュームデータを超音波診断装置１０に読込み、ＭＰＲ画像を表示する。
【００３２】
そして、参照画像（ＭＰＲ画像）と超音波画像を同一画面に表示し、参照画像の断面の向き（Orientation）に相当する向きに超音波プローブ１１の走査の向きを一致させる角度合わせと、参照画像と超音波画像の両方で観察可能な目印上に点を設定し位置を一致させる目印合わせにより位置合わせを行う。つまり、位置センサ３２の向き及び座標をボリュームデータの座標と関連付けることで、超音波プローブ１１の現時点の走査面とほぼ同一の位置の２次元画像を他のモダリティのボリュームデータから生成することができ、超音波プローブの移動に伴って変化する超音波画像と、同じ断面のＭＰＲ画像を表示させることが可能になる。
【００３３】
これにより、以後、プローブ１１の移動に伴って変化する超音波画像と同じ断面をＭＰＲ画像で表示することができる。したがって、超音波画像では確認が難しい腫瘍等をＭＰＲ画像で確認することができる。このように超音波画像（エコー画像）と参照画像を位置合わせして結合し表示する機能を以下の説明では、「Fusion」機能と呼ぶ。
【００３４】
図３は、位置合わせした後の参照画像（ａ）と超音波画像（ｂ）をそれぞれ示す。参照画像（ａ）としては、例えばＸ線ＣＴ装置によって収集したボリュームデータから生成したＭＰＲ画像（Multi Planer Reconstruction画像）が用いられる。なお、参照画像としては、ＭＲＩ装置で取得した画像を利用することもできる。
【００３５】
図４は、本実施形態の特徴部であるＣＰＵ１６とその周辺部の構成を示すブロック図である。図４において、ＣＰＵ１６は、入力判断部４１、制御ソフトウェアを含むコントローラ４２、表示処理部４３、モード変換処理部４４、参照画像処理部４５及び合成部４６を有す。記憶部１７は、選択プローブの種類に関する情報及び診断目的の情報が保存されたシステム情報テーブル１７１と、断面方向データを記憶したデータベース１７２を含み、画像データベース１５は、超音波診断装置１０以外の医用画像診断装置２４から取得したＣＴ画像やＭＲＩ画像等の３次元画像を保存する。
【００３６】
記憶部１７は、コントローラ４２によって情報の書き込みや読み出しが制御され、システム情報テーブル１７１は、表示処理部４３に接続され、データベース１７２は参照画像処理部４５に接続されている。また画像データベース１５は、参照画像処理部４５に接続されている。
【００３７】
入力判断部４１は、操作部１９に接続され、操作部１９でどのような入力操作がなされたかを判断し、判断情報をコントローラ３２に供給する。コントローラ４２は、モード変換処理部４４及び参照画像処理部４５に接続され、モード変換処理部４４は、表示処理部４３及び参照画像処理部４５に接続されている。また参照画像処理部４５は、ケーブル４７を介して位置情報取得部２０に接続され、参照画像処理部４５で処理された参照画像と表示処理部４３で処理されたエコー画像が合成部４６で合成されてモニタ２１に出力される。
【００３８】
以下、ＣＰＵ１６の制御のもとに超音波画像と参照画像（例えばＣＴ画像）を表示する際のFusion機能について説明する。
【００３９】
一般に、Fusion機能の適用は、超音波プローブ１１を体表にあてた状態を前提としており、主に診断目的（Exam Type）は、腹部であり、臓器を絞ると肝臓の診療に使用されてきた。
【００４０】
しかしながら、診断目的が前立腺の診察である場合、２つの診断方法がある。１つ目の方法は、従来の腹部の診断と同様に、プローブを被検体の体表から当てる方法で、主に前立腺肥大の様子を観察するために使用される。使用するプローブは体表用のコンベックスプローブ(例えば東芝製のPVT-375BT等)である。
【００４１】
２つ目の方法は、プローブを肛門から差し込み直腸の壁面を介して前立腺を観察する方法で、主に前立腺癌を観察するために使用される。尚、この２つ目の方法は前立腺肥大の観察にも使用される場合がある。使用されるプローブは体腔内のコンベックスプローブ(例えば東芝製のPVT-781VT等)である。
【００４２】
診断目的が前立腺の場合、Fusion機能の参照画像としてＭＲＩ画像又はＣＴ画像を使用することが多く、参照画像の断面の向き（Orientation）はアキシャルが多く用いられている。つまり、Fusion機能において、ＭＲＩ画像との初期の位置合わせでは、角度と位置の両方を合わせる必要があるが、このときアキシャル断面を基準にして操作が行われることが多い。これは操作者が分かり易いという理由からである。
【００４３】
図５は、ＣＴ装置及びＭＲＩ装置での断面の方向を概略的に示す説明図である。断面の向きとしては、被検体に水平な体軸断面（アキシャル：Axial）と、縦切りの断面（サジタル：Sagittal）と、横切り断面（コロナル：Coronal）等の基準断面方向が一般的に知られている。
【００４４】
図６は、前立腺の診断時の様子を示す説明図であり、便宜上、被検体の代りにファントムを用いており、そのＣＴ像５０のアキシャル断面を示している。図６において、５１は直腸の穴であり、５２は尿管、５３は腫瘍を示す。一方、図６に示すように、前立腺肥大の診断では太い実線で示すように体表（矢印Ａ方向）からプローブを当てて超音波撮影を行う。また、前立腺癌の診断では、太い点線で示すように、体腔内(直腸から挿入された状態：矢印Ｂ方向)からプローブを当てて超音波撮影を行う。
【００４５】
図６において、ＣＴ像５１でなる参照画像の断面の向きはアキシャルであるが、超音波プローブ１１を体表から当てた場合と、体腔内から当てた場合とでは、得られるエコー画像の位置関係が異なる。したがって、体腔内のプローブを用いて直腸壁から観察する場合は、参照画像のアキシャル断面とエコー画像の向きが逆向きになることがあった。
【００４６】
即ち、一般的には、プローブを体表にあてた状態を前提として、参照画像のアキシャル断面との位置合わせを行っているが、体腔内プローブを用いて直腸壁から観察する場合には、同じアキシャル断面に対してエコー画像との向きの関係が上下方向に反対の向きの関係となる。したがって、参照画像を回転させて対応していた。
【００４７】
図７は、参照画像の一般的な回転処理を示す説明図である。図７（ａ）は画像データベースに読み込んだ参照画像５０（ＣＴ画像）を示す。Fusion機能を起動すると、図７（ｂ）に示すように参照画像５０と超音波装置で撮影したエコー画像６０が並べて表示される。エコー画像６０のうち、６１は直腸の穴であり、６２は尿管、６３は腫瘍を示す。参照画像５０とエコー画像６０の位置関係が上下逆になっている場合は、図７（ｃ）に示すように参照画像５０を、Ｘ軸を基準に１８０度回転していた。
【００４８】
しかしながら、画像の回転処理は、患者が入れ替わりFusion機能を使用する毎に同じ操作をすることになり、非常に手間がかかるため、操作者（医師、検査技師等）は時間と労力を費やし負担となっている。
【００４９】
さらに、プローブ１１を肛門から直腸に挿入する場合、人体の構造上、プローブの操作方向に制約が生じるため、アキシャル軸に対してある程度、挿入角度が傾くことになる(例えば３０度前後傾く傾向にある)。したがって、前立腺の診断において参照画像を回転処理する場合には、２１０度（１８０＋３０度）回転した方が診断に適した画像となる。
【００５０】
そこで、本実施形態では、診断目的（例えば前立腺、心臓、内臓の診断等）に応じて参照画像の断面の方向を予め初期設定し、かつ参照画像を回転処理する必要がある場合は、超音波プローブ１１の種類（体表用のプローブ、体腔内用のプローブ）に応じて回転角度を初期設定するようにしている。
【００５１】
実施形態によれば、診断に先だって診断目的とプローブの種類を操作部１９から入力しておけば、Fusion機能を起動させたとき、初期設定により参照画像の断面の向きと回転角度が自動的に調整された参照画像を生成し、エコー画像とともに表示することができる。
【００５２】
図８は、実施形態における参照画像の回転処理を示す説明図である。図８（ａ）は画像データベース１５に読み込んだ参照画像５０（ＣＴ画像）を示す。Fusion機能を起動すると、図８（ｂ）に示すように参照画像５０と超音波装置で撮影したエコー画像６０が並べて表示される。このとき、参照画像５０は、初期設定にしたがってアキシャル断面の画像を表示し、かつ参照画像５０を、Ｘ軸を基準に２１０度回転した画像を表示する。したがって、操作者は参照画像を何度も調整することなく、時間と労力を低減することができる。
【００５３】
また同一プローブで複数の部位を診断する場合、診断目的によって参照画像の断面の方向をそれぞれ異ならせる方が良い。例えば、図９に示すように、セクタープローブを使用した場合、腹部の走査ではアキシャル断面に相当する向きにプローブを置くのが一般的であるが、心臓の走査ではアキシャルではなく心尖部四腔断面を基準面とした方が診断しやすい。
【００５４】
心尖部四腔断面は、図１０図に示すように、右房右室、左房左室のそれぞれの異常の有無を観察するに適した断面であり、心尖部を含みかつ四腔が同時に描出されるようにプローブを走査することが多い。したがって、参照画像の断面の向きも心尖部四腔断面に対応するように初期設定することで、Fusion機能を起動したときに診断に適した参照画像を表示することができる。
【００５５】
実施形態では、超音波画像診断装置１０の構成に、図４で示される システム情報テーブル１７１と、断面方向データを記憶したデータベース１７２を追加し、さらに、参照画像処理部４５に参照画像の初期断面を制御する機能、及び参照画像の初期断面の断面方向データを操作者のボタン操作に応じて変更する処理を追加している。
【００５６】
以下、図４のＣＰＵ１６の動作を説明する。即ち、予め操作者が操作部１９から診断目的と使用するプローブの種類を入力すると、コントローラ４２は、診断目的及び使用する超音波プローブの種類に応じて参照画像の断面方向を設定し、設定した断面方向データをデータベース１７２に記憶する。つまりコントローラ４２は、断面方向設定部を構成する。
【００５７】
例えば、体表用のコンベックスプローブについては、参照画像の断面がアキシャルであり、断面の回転角度の補正は０である。また、体腔内のコンベックスプローブについては、参照画像の断面がアキシャルであり、断面の回転角度の補正は、上下方向の回転として２１０度が設定されている。ここで、２１０度とは、回転角度１８０度にプローブ１１がアキシャル面に対して傾く角度の３０度を加算した合計の角度である。上下方向の回転はグラフィックスの座標系ではＸ軸(横軸)を中心に回転することから、Ｘ軸回転量２１０度と呼ぶこともある。
【００５８】
このような状態において、ユーザは、Fusion機能で使用する参照画像を選択したあと、操作部１９を操作して、Fusion機能を開始するFusionボタンを押す。ボタンが押されたことは入力判断部４１が検出する。入力判断部４１は一定間隔ごとに操作部１９のすべてのボタンの操作状況を確認している。したがって、Fusionボタンが押されたことによる状態変化を入力判断部４１で判断することができ、Fusionボタンが押された旨をコントローラ４２に渡す。
【００５９】
コントローラ４２は、Fusionボタンの操作に応答して、動作モードを「Fusion」とするために、システム情報テーブル１７１からモード変更処理部４４に対してプローブの種類を示す情報と診断目的の情報を渡す。モード変更処理部４４は、モード変更に伴い参照画像の表示が必要なことと、参照画像を表示するためのモニタ２１のレイアウト情報、エコー画像の表示向きの情報、さらにプローブの種類を示す情報と診断目的の情報を参照画像処理部４５に渡す。
【００６０】
参照画像処理部４５は、例えばＭＲＩ装置によるスライス画像を画像データベース１５から複数読み込み、３次元のデータを構成する。次に診断目的及びプローブの種類の情報をもとに、使用されてプローブに応じた断面方向データをデータベース１７２から取得する。例えばプローブの種類が体腔内のコンベックスプローブである場合は、Ｘ軸回転量：２１０度の情報が得られる。
【００６１】
参照画像処理部４５は、構成されたＭＲＩ画像の３次元データから体表面を基準として、データの中心部から２１０度Ｘ軸に回転した位置から順次データを取得し、２次元の画像を構成する。データの読み始めの位置がプローブの被検者との接触位置となり、Ｙ軸方向に読み出してくと順次に接触位置から離れた位置の画像が形成され、２次元の画像データとなる。
【００６２】
さらに図８（ｂ）の右に示すように、プローブの被検者との接触位置がモニタ上で下になるようなエコー画像である場合、即ち、上下反転の表示がされている場合、参照画像処理部４５は、それに相応した向きに２次元の参照画像が表示されるように処理して合成部４６に出力する。
【００６３】
合成部４６では、表示処理部４３で処理されたエコー画像と、参照画像処理部４５で処理された参照画像を合成してモニタ２１に出力する。モニタ２１には、図８（ｂ）に示すように、処理されたエコー画像と並べて参照画像が表示される。
【００６４】
また、操作者が参照画像の傾きを変更した場合、操作部１９から入力判断部４１を介してコントローラ４２に伝えられ、コントローラ４２は、参照画像処理部４５に回転軸の情報と回転量の情報を送る。参照画像処理部４５は、回転軸の情報と回転量の情報をもとに３次元データから２次元の参照画像を構成して出力する。
【００６５】
また、操作者が変更した表示の方向を保存するため、操作部１９の保存ボタンを入力すると、入力判断部４１及びコントローラ４２を通じて保存ボタンが押されたことの情報が参照画像処理部４５に伝えられ、参照画像処理部４５は、選択されているプローブの情報に対応する断面方向データをデータベース１７２に更新記憶する。尚、診断目的が心臓の検査である場合は、参照画像の断面の向きが心尖部四腔断面に対応した画像となるように処理されて表示される。
【００６６】
図１１は、図４のＣＰＵ１６の動作を説明するフローチャートである。図１１のスタートステップにて、ユーザがFusion機能で使用する参照画像を選択したものとする。ステップＳ１で、操作者が操作部１９を操作してFusionボタンを押すと、入力判断部４１は、入力されたボタンの種類を判断し、コントローラ４２に情報を提供する。
【００６７】
コントローラ４２は、ステップＳ２で、入力判断部４１からの情報に基づき、モード変更処理部４４に対してFusion機能のモードに変更させる。またコントローラ４２は、システム情報テーブル１７１に保存された診断目的の情報と選択プローブの種類に関する情報をモード変換処理部４４に渡す。
【００６８】
次のステップＳ３で、モード変更処理部４４は、モード変更に伴う画面レイアウト等の情報を生成しそれを表示処理部４３に渡す。またステップＳ４において、モード変更処理部４４は、エコー画像の上下左右の反転表示情報やプローブの種類及び診断目的の情報を参照画像処理部４５に渡す。
【００６９】
ステップＳ５で、参照画像処理部４５は画像データベース１５から読み出した参照画像データをもとに３次元画像を構成する。またステップＳ６で、参照画像処理部４５は、参照画像を表示するための処理と合わせて、プローブの種類及び診断目的の情報に基づき、データベース１７２からの断面方向データをもとに、３次元のＣＴ／ＭＲＩ画像データの断面抽出角度を計算する。さらに、ステップＳ７で参照画像処理部４５は、上下左右の反転表示情報及び画面レイアウトの情報を使用し、画像の表示方向を計算する。
【００７０】
そしてステップＳ８で、参照画像処理部４５は、ステップＳ６，Ｓ７での計算に基づいて構成された断面像を参照画像として生成し、合成部４６に出力し、モニタ２１上に表示して処理を終了する（エンド）。
【００７１】
上述したように、本実施形態では、被検体の診断目的及び使用する超音波プローブの種類に応じて参照画像の断面方向を設定するため、エコー画像との位置合わせを行う前に参照画像の断面の向きを所望の向きにすることができる。したがって操作者は、Fusionボタンを押すことで超音波画像と、それに対応した参照画像を表示することができ、操作手順を軽減化することができる。
【００７２】
また超音波プローブが体腔内用であり、プローブの操作方向に制約が生じるような場合でも参照画像を適切な角度に回転処理することができ、診断に適した画像を表示することができる。
【００７３】
尚、本発明のいくつかの実施形態を述べたが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００７４】
１０…超音波診断装置
１１…超音波プローブ
１４…画像生成部
１５…画像データベース
１６…ＣＰＵ
１７…記憶部
１９…操作部
２０…位置情報取得部
２１…モニタ（表示部）
３１…トランスミッタ
３２…位置センサ
４１…入力判断部
４２…コントローラ
４３…表示処理部
４４…モード変換処理部
４５…参照画像処理部
４６…合成部
【図１】
2014239731.tif 000003
【図２】
2014239731.tif 000004
【図３】
2014239731.tif 000005
【図４】
2014239731.tif 000006
【図５】
2014239731.tif 000007
【図６】
2014239731.tif 000008
【図７】
2014239731.tif 000009
【図８】
2014239731.tif 000010
【図９】
2014239731.tif 000011
【図１０】
2014239731.tif 000012
【図１１】
2014239731.tif 000013